(57)【要約】【課題】リユース時のコストダウンを効果的に行う。【解決手段】図柄可変表示装置収納ユニット２０は、前カバー２１、後カバー２２、主制御回路装置収納カバー２３からなる収納ケース２４と、保持ベース２５と、ジョイントバンド２６とから構成される。ジョイントバンド２６は、開口２６ａと固定部２６ｂとが形成されている。ジョイントバンド２６の一方の先端をブリッジ２２ｃの下に潜らせ、開口２６ａを突起２１ｃに挿入する。固定部２６ｂがブリッジ２２ｃに接触し、ジョイントバンド２６は移動不可状態になる。ジョイントバンド２６のもう一方の先端をブリッジ２３ｂの下に潜らせ、突起２３ａに開口２６ａを挿入する。ジョイントバンド２６により、後カバー２２を挟持した状態で前カバー２１と主制御回路装置収納カバー２３とが係合される。機種交換を行う場合には、ジョイントバンド２６を切断して行う。【選択図】        図４
2004209155.tif 000002
【特許請求の範囲】
【請求項１】
遊技に基づいて作動される制御装置を収納する分割可能な第１カバー及び第２カバーからなり、前記第１カバー又は第２カバーのいずれか一方に係止突起が、他方にゲートが設けられた収納ケースと、
前記ゲートに先端部が挿通可能で、この挿通時に前記ゲートへの挿通を妨げて当接するための当接片と、この当接片が前記ゲートと当接したときに係止突起に係合し得る係合孔とが設けられた挿着部材とを備え、
前記第１カバー及び第２カバーを挿着部材により係合保持させることを特徴とする制御装置収納ユニット。
【請求項２】
遊技に基づいて作動される制御装置を収納する収納部を少なくとも１つ有する３つ以上に分割可能なケース部材からなり、前記分割可能な３つ以上のケース部材のいずれか１つにゲートが、他のケース部材に係止突起が設けられた構成からなる収納ケースと、
前記ゲートに先端部が挿通可能で、この挿通時に前記ゲートへの挿通を妨げて当接するための当接片と、この当接片が前記ゲートと当接したときに係止突起に係合し得る係合孔とが設けられた挿着部材とを備え、
前記分割可能な３つ以上のケース部材を挿着部材により係合保持させることを特徴とする制御装置収納ユニット。
【請求項３】
前記収納ケースは、遊技に基づいて作動される制御装置を作動制御する制御回路装置を収納することを特徴とする請求項１又は２記載の図柄可変表示装置収納ユニット。
【請求項４】
請求項１ないし３いずれか１つ記載の制御装置収納ユニットを備えたことを特徴とする遊技機。
【発明の詳細な説明】
【０００１】
【発明の属する技術分野】
本発明は、パチンコ店等の遊技場に設置して使用されるパチンコ機等の制御装置収納ユニット及びこれを用いた遊技機に関するものである。
【０００２】
【従来の技術】
遊技場に設置されるパチンコ機やスロットマシン等の遊技機は、遊技盤や遊技盤を装着させる本体枠に、遊技媒体の供給に基づいて作動させるランプ装置や音声発生装置などの様々な各種駆動装置及びこれら駆動装置を制御させるために対応させた各種制御回路装置（手段）  を備えており、遊技者が遊技を行う際にこれらを適宜作動させることによって遊技を興趣に溢れたものとしている。また、近年では、予め定められた入賞口への入賞等の所定条件の達成に基づいて所定の識別情報（図柄）を変動表示し得るリール表示装置または液晶画像表示装置等の図柄可変表示手段を内蔵し、所定条件を満たしたときに識別情報を変動させた後に停止表示させるように図柄可変表示手段を作動させるものが主流となっている。これらの装置は遊技機の内部に配設された制御回路装置によって制御されている。なお、図柄可変表示手段等の制御装置は収納ケースに収納され、その収納ケースが、例えば球通路が形成された支持板等の所定部材に組み付けられる。
【０００３】
遊技性の異なる遊技機への機種替えを行う場合、設置中の古い機種のパチンコ機は、各種制御装置，図柄可変表示手段，制御回路装置等が組み込まれた遊技機本体ごと遊技場から取り外され、新しい機種のパチンコ機が遊技場の所定位置に配設される。遊技場から取り外された古い機種は工場等で分解され、部品によってはリユースまたはリサイクルされ、新しい機種のパチンコ機に組み込まれる。なお、上記図柄可変表示手段は品質保証期間が経過していない場合には、新しい機種のパチンコ機に組み込むとコストダウンを図ることができる。
【０００４】
【発明が解決しようとする課題】
しかしながら、制御装置が収納される収納ケースは、収納した制御装置が不正に交換されないように取り出し不可状態になるように強固に係合して、破壊しないと交換できないようになっていた。また、遊技盤に設けられる図柄可変表示手段の表示面を露呈するための開口の位置は、パチンコ機の遊技性等によって異なる場合が多く、例えば図柄可変表示手段を着脱不能に収納ケースに収納して、遊技盤の開口位置に対応するように装着させる場合には、収納ケース及びその支持部材等を各々のパチンコ機に対応させた新しいものに交換する必要がある。さらに、図柄可変表示手段等の制御装置を性能等が異なるものへと交換する場合にも、収納ケースを新しいものに交換する必要があり、リユース時にかかる効果的なコストダウンを行うことができないという問題がある。
【０００５】
本発明は、上記従来技術の問題を解決するためになされたものであり、部品交換時における容易性や迅速性を向上させることができるとともに、コストアップを抑えることができる制御装置収納ユニット及びこれを用いた遊技機を提供することを目的とする。
【０００６】
【課題を解決するための手段】
上記目的を達成するために、本発明の制御装置収納ユニットは、遊技に基づいて作動される制御装置を収納する第１カバー及び第２カバーからなり、前記第１カバー又は第２カバーのいずれか一方に係止突起が、他方にゲートが設けられた収納ケースと、前記ゲートに先端部が挿通可能で、この挿通時に前記ゲートへの挿通を妨げて当接するための当接片と、この当接片が前記ゲートと当接したときに係止突起に係合し得る係合孔とが設けられた挿着部材とを備え、前記第１カバー及び第２カバーを挿着部材により係合保持させることを特徴とする。なお、制御装置としては、図柄を変動表示させた後に停止表示させることのできる図柄可変表示装置、ランプ等の発光装置、音声発生装置、可動物を作動させる装置などを例示することができる。
【０００７】
また、遊技に基づいて作動される制御装置を収納する収納部を少なくとも１つ有する３つ以上に分割可能なケース部材からなり、前記分割可能な３つ以上のケース部材のいずれか１つにゲートが、他のケース部材に係止突起が設けられた構成からなる収納ケースと、前記ゲートに先端部が挿通可能で、この挿通時に前記ゲートへの挿通を妨げて当接するための当接片と、この当接片が前記ゲートと当接したときに係止突起に係合し得る係合孔とが設けられた挿着部材とを備え、前記分割可能な３つ以上のケース部材を挿着部材により係合保持させることを特徴とする。さらに、前記収納ケースは、遊技に基づいて作動される制御装置を作動制御する制御回路装置を収納することが好ましい。また、本発明の遊技機は、上記制御装置収納ユニットを備えたことを特徴とする。なお、前記第１カバーと第２カバーとに分割する方向は、前後，左右又は上下など任意の方向でよいこととする。また、制御回路装置とはＣＰＵ（命令処理部），ＲＯＭ及びＲＡＭ（記憶処理部）による制御構成にて処理される手段であると好適である。また、挿着部材の脱着による収納ケースの分割に基づいて、制御装置の交換を容易または迅速にできるようにすると好適である。
【０００８】
【発明の実施の形態】
図１に本発明を用いた遊技機の１実施例であるパチンコ機の外観を示す。パチンコ機２の本体枠３の内部には遊技盤４が配設されており、遊技盤４の前面には前面枠５が開閉自在に設けられている。前面枠５の下方には、打球供給用の供給皿６及び遊技球の打ち出し強さを調節する操作ハンドル７が設けられている。遊技盤４の遊技領域４ａの略中央には、開口４ｂ（図５参照）が設けられている。開口４ｂには、予め定められた入賞口へ遊技球を入賞させるなどの所定入賞条件に基づいて遊技中に様々な図柄やキャラクタなどを液晶画面に所定時間内において変動表示させた後に停止表示させる図柄可変表示装置８が配置され、その周りには様々な種類の入賞口１０及びアウト口１１が設けられている。それぞれの入賞口１０の内には、入賞口１０に入った遊技球を検知する入賞球検知センサ１２が設けられている。遊技者は、供給皿６に遊技球を投入して該遊技球を発射装置へと導き、操作ハンドル７を回動操作して、遊技盤４上に遊技球を打ち出す。打ち出された遊技球は遊技領域４ａの上方から流下する途中でいずれかの入賞口１０に入るか、あるいはアウト口１１から回収される。なお、パチンコ機２の遊技領域４ａに設けられている複数の釘、風車などの構造物は公知であるので説明は省略する。
【０００９】
なお、前面枠５が閉じているロック状態であるときには、遊技者や遊技場の作業者は、前面枠５に板状のガラスが装着されて形成されるガラス窓９を通して遊技盤４の遊技領域４ａ及び遊技領域４ａ上を流下していく遊技球を見ることはできるが、遊技盤４にはもちろんのこと本体枠３の内部にも触れることができないようになっている。
【００１０】
図２にパチンコ機の背面側の外観を示す。パチンコ機２の本体枠３には、遊技を行う際に各種装置を作動させるための主制御を行う主制御回路装置（基板）１５の他に、副制御回路装置（基板）１６、球発射装置１７、球払出装置１８等がそれぞれ組み付けられている。これら制御回路装置及び装置は、図示しないケーブル等を介して電気的に接続されている。なお、主制御回路装置１５は、図柄可変表示装置８とともに図柄可変表示装置収納ユニット２０の内部に組み込まれる。
【００１１】
図柄可変表示装置収納ユニット２０の正面斜視図を図３に、正面分解斜視図を図４に、断面図を図５に示す。図柄可変表示装置収納ユニット２０は、前カバー２１、後カバー２２、主制御回路装置収納カバー２３からなる収納ケース２４と、収納ケース２４を本体枠３の所定位置に固定保持するための保持ベース２５と、収納ケース２４を構成する収納手段となる各カバー２１〜２３を脱不可状態に保持する挿着部材としての、例えばナイロン製のジョイントバンド２６とから構成される。ジョイントバンド２６の上には透明な封印シール２８が貼り付けられる。
【００１２】
前カバー２１は、その前面に図柄可変表示装置８の表示面８ａを観察するための開口２１ａと、図柄可変表示装置８の表示面８ａを保護するための保護パネル２８の位置決め用として設けられる凸部２１ｂとが形成されている。また、前カバー２１の上面及び下面には、テーパ状の突起２１ｃと、切欠き２１ｄとがそれぞれ２個ずつ形成されている。
【００１３】
後カバー２２は、正面にはビス締め孔が形成されたボス２２ａ、位置決め用のリブ２２ｂが、上下面には門状のゲートとしてのブリッジ２２ｃが設けられている。ボス２２ａは四隅に設けられ、リブ２２ｂは上下端部にそれぞれ設けられている。ブリッジ２２ｃは上下面にそれぞれ左右２個ずつ設けられている。この後カバー２２の後面には、主制御回路装置１５を収納するように設けられた主制御回路装置収納カバー２３が取り付けられる。なお、この主制御回路装置収納カバー２３の上面及び下面には、テーパ状の突起２３ａと、ブリッジ２３ｂとがそれぞれ２個ずつ形成されている。
【００１４】
図４に示すように、ジョイントバンド２６は、後カバー２２を中心に挟持するように前カバー２１と主制御回路装置収納カバー２３とを係合するものであり、開口２６ａと、当接片としての固定部２６ｂとが形成され、収納ケース２４の上下面の左右それぞれに設けられたテーパ状の突起２１ｃとブリッジ２２ｃとに対応するするように、４個設けられている。開口２６ａは両端部に形成されている。ジョイントバンド２６の一方の先端を後カバー２２に設けられたブリッジ２２ｃの下に潜らせ、前カバー２１に設けられた突起２１ｃに開口２６ａを挿入して係止させると、固定部２６ｂがブリッジ２２ｃに接触し、ジョイントバンド２６は移動不可状態になる。同様に残り３個のジョイントバンド２６を用いて移動不可状態にすることにより、前カバー２１と後カバー２２とは脱不可状態に係合される。そして、図５に示すように、４つの係止された開口２６ａとは反対側となるジョイントバンド２６のもう一方の先端をブリッジ２３ｂの下に潜らせ、主制御回路装置収納カバー２３の上下面の左右それぞれに設けられた突起２３ａにそれぞれ開口２６ａを挿入して係止させると、主制御回路装置収納カバー２３は、後カバー２２と脱不可状態に係合される。
【００１５】
保持ベース２５は、収納ケース２４を本体枠３側の所定部材に固定保持させる部材であり、後カバー２２に設けられたボス２２ａが挿入される開口２５ａが上下に設けられている。後カバー２２を保持ベース２５に取り付けると、ボス２２ａは開口２５ａに挿入される。図柄可変表示装置収納カバー２９は、図柄可変表示装置８を収納するものであり、背面の四隅にはビス締め孔が形成されたボス２９ａが設けられている。図柄可変表示装置収納カバー２９に設けられたボス２９ａと後カバー２２に設けられたボス２２ａとの位置が合うように配置し、ビス３１により、後カバー２２の背面からボス２２ａとボス２９ａとを係合するようにビス締め固定する。従って、四隅に設けられたボス２２ａとボス２９ａとをビス３１によりビス締め固定することにより、後カバー２２と図柄可変表示装置収納カバー２９とは、保持ベース２５を挟み込んだ状態で取り付けられる。なお、保持ベース２５は、本体枠３の所定部材の他に、遊技盤４側の所定部材に組み付けるようにしてもよい。
【００１６】
上記のように構成されたパチンコ機の作用について説明する。パチンコ機２を組み立てる際に、図柄可変表示装置８を図柄可変表示装置収納ユニット２０に組み付けた状態で本体枠３の所定部材に取り付ける。この際、後カバー２２に設けられたボス２２ａを保持ベース２５に設けられた開口２５ａに挿入し、図柄可変表示装置収納カバー２９に設けられたボス２９ａとボス２２ａとの位置が合うように配置し、ビス３１により、後カバー２２の背面からボス２２ａとボス２９ａとを係合するようにビス締め固定する。図柄可変表示装置８を図柄可変表示装置収納カバー２９に収納し、保護パネル２８を凸部２１ｂに合わせて前カバー２１に収納する。そして、保護パネル２８が収納された前カバー２１に設けられた切欠き２１ｄにスライドベース２５を挿入するとともに、後カバー２２に設けられたリブ２２ｂを前カバー２１の上下内壁面に沿って挿入し、前カバー２１と後カバー２２とを位置決めする。この状態で、ジョイントバンド２６の一方の先端をブリッジ２２ｃの下に潜らせ、前カバー２１に設けられた突起２１ｃにジョイントバンド２６に設けられた開口２６ａを挿入し、ジョイントバンド２６のもう一方の先端をブリッジ２３ｂの下に潜らせ、主制御回路装置１５を収納した主制御回路装置収納カバー２３に設けられた突起２３ａに開口２６ａを挿入すると、ジョイントバンド２６により、後カバー２２を中心に挟持した状態で前カバー２１と主制御回路装置収納カバー２３とが係合される。そして、ジョイントバンド２６を介して収納ケース２４を係合保持させた後に、ジョイントバンド２６の上に封印シール２８を貼り付ける。この状態で、保持ベース２５を、本体枠３の支持部材３ａ等の所定部材に取り付ける。
【００１７】
また、保持ベース２５を遊技盤４に直接又は支持板３５を介して取り付けてもよく、図６は、保持ベース２５を遊技盤４に支持板３５を介して取り付けた場合の側面断面図である。支持板３５にはフック部３５ａが設けられており、保持ベース２５の下側先端部をフック部３５ａに挿入して位置決めし、ビス３６により保持ベース２５の上側先端部を支持板３５にビス締め固定する。なお、支持板３５は、制御回路装置を組み込む、又は入賞口１０により入賞された遊技球を所定の受け部に案内する通路が設けられる遊技盤取り付け板であると好適である。また、保持部材の一例として用いるスライドベース２５を、支持部材３ａや遊技盤４に直接又は支持板３５を介して取り付ける方法は、ビス等の固定部材による結合、又は嵌合式やスライド式による結合など任意でよいこととする。
【００１８】
上記図柄可変表示装置収納ユニット２０が組み付けられたパチンコ機２の機種交換を行うにあたって、副制御回路装置１６、球発射装置１７、球払出装置１８、図柄可変表示装置８及び主制御回路装置１５が内部に組み込まれた図柄可変表示装置収納ユニット２０等が組み付けられた本体枠３ごと遊技場から取り外され、新しい機種のパチンコ機２が遊技場の所定位置に配設される。図柄可変表示装置収納ユニット２０は、内部に組み込まれた図柄可変表示装置８、主制御装置１５が新たな機種に対応したものに交換され、新しい機種のパチンコ機３に組み込まれる。
【００１９】
先ず、収納ケース２４の上下面の左右にて保持されているジョイントバンド２６をニッパ等の治具を用いて切断するか、又は、ジョイントバンド２６の片端を持ち上げて突起２１ｃ又は突起２３ａから離脱させるようにする。ジョイントバンド２６が離脱されると、前カバー２１、後カバー２２及び主制御回路装置収納カバー２３を取り外すことができ、図柄可変表示装置８及び主制御装置１５を新たな機種に対応したものに交換することができる。そして、新たな図柄可変表示装置８を収納し、新しいジョイントバンド２６により、後カバー２２を中心に挟持した状態で前カバー２１と主制御回路装置収納カバー２３とを係合する。
【００２０】
このように、前カバー２１、後カバー２２及び主制御回路装置収納カバー２３を壊すことなく、ジョイントバンド２６を介しての交換により、容易に図柄可変表示装置８及び主制御装置１５を新たな機種に対応したものに交換することができる。また、ジョイントバンド２６を介して収納ケース２４を係合保持させた後に、ジョイントバンド２６の上に封印シール２８を貼り付け、係合解除すると封印シール２８が破断するという痕跡が残るようにしたから、収納ケース２４内に収納した図柄可変表示装置８や主制御回路装置１５を不正に交換しようとする者に対して牽制できるようにすることができる。
【００２１】
なお、上記実施形態では、突起２１ｃ、ブリッジ２２ｃ、突起２３ａ、ブリッジ２３ｂを、収納ケース２４の上下面の左右にそれぞれ２個ずつ設け、４個のジョイントバンド２６を用いて前カバー２１と後カバー２２と主制御回路装置収納カバー２３とを係合したが、これに限定されることなく、突起２１ｃ、ブリッジ２２ｂ、突起２３ａ、ブリッジ２３ｂを左右面に設けてもよく、その個数も適宜変更してもよい。
【００２２】
また、収納ケース２４に主制御回路装置収納カバー２３を設け、主制御回路装置１５を収納したが、主制御回路装置１５の制御処理情報に基づいて作動される副制御回路装置１６を収納する副制御回路装置収納カバーとして取り付けるようにしてもよい。
【００２３】
図７に他の実施形態を示す。上記実施形態のものと同様の構成部材には同一の符号を付し、その詳細な説明を省略する。図７（Ａ）の実施形態では、図柄可変表示装置収納ユニット４０は、前カバー２１、後カバー２２からなる収納ケース４４と、保持ベース２５と、ジョイントバンド４６とから構成される。ジョイントバンド４６は、略Ｔ字形状となっており、開口４６ａと固定部４６ｂとが設けられている。ジョイントバンド４６の開口４６ａ側の先端を、挿着方向Ａに沿って後カバー２２の上下面の左右に設けられたブリッジ２２ｃの下に潜らせ、前カバー２１の上下面の左右に設けられた突起２１ｃに開口４６ａを挿入する。また、図７（Ｂ）の実施形態では、図柄可変表示装置収納ユニット５０は、前カバー５１、後カバー５２、主制御回路装置収納カバー５３からなる収納ケース５４と、保持ベース２５と、ジョイントバンド５６とから構成される。前カバー５１の上下面の左右にはブリッジ５１ａが、後カバー５２の上下面の左右には突起５２ａが、主制御回路装置収納カバー５３の上下面の左右には突起５３ａがそれぞれ合計４個ずつ設けられている。ジョイントバンド５６は、略Ｔ字形状となっており、２個の開口５６ａと固定部５６ｂとが設けられている。ジョイントバンド５６の開口５６ａ側の先端を、挿着方向Ｂに沿ってブリッジ５１ａの下に潜らせ、突起２個の開口５６ａを突起５２ａ，５３ａに挿入する。
【００２４】
【発明の効果】
以上説明したように、本発明の遊技機によれば、図柄可変表示装置等の制御装置を収納する分割可能な収納ケースを、挿着部材としてのジョイントバンドにより係合保持させることにより、制御装置を交換する際に、収納ケースを壊すことなく行うことができるため、収納ケースを共通化することができるとともに、ジョイントバンドを介しての係合により、収納ケースの着脱を容易にすることができ、リユース時のコストダウンを効果的に行うことができる。
【図面の簡単な説明】
【図１】本発明を実施したパチンコ機の外観を示す斜視図である。
【図２】図１に示したパチンコ機の背面側からの外観を示す斜視図である。
【図３】図柄可変表示装置収納ユニットを示す斜視図である。
【図４】図柄可変表示装置収納ユニットを示す分解斜視図である。
【図５】図柄可変表示装置収納ユニットを示す断面図である。
【図６】保持ベースを支持板を介して遊技盤に取り付けた側面断面図である。
【図７】本発明の他の実施形態の図柄可変表示装置収納ユニットを示す斜視図である。
【符号の説明】
２  パチンコ機
３  本体枠
４  遊技盤
８  図柄可変表示装置
８ａ  表示面
１５  主制御回路装置
１６  副制御回路装置
２０，４０，５０  図柄可変表示装置収納ユニット
２１，５１  前カバー
２１ａ  開口
２１ｂ  凸部
２１ｃ  突起
２２，５２  後カバー
２２ａ  ボス
２２ｂ  リブ
２２ｃ  ブリッジ
２３，５３  主制御回路装置収納カバー
２３ａ  突起
２３ｂ  ブリッジ
２４，４４，５４  収納ケース
２５  保持ベース
２６，４６，５６  ジョイントバンド
２６ａ  開口
２６ｂ  固定部
【図１】
2004209155.tif 000003
【図２】
2004209155.tif 000004
【図３】
2004209155.tif 000005
【図４】
2004209155.tif 000006
【図５】
2004209155.tif 000007
【図６】
2004209155.tif 000008
【図７】
2004209155.tif 000009